(57)【要約】【課題】小型化、低価格化できるアングルコネクタを提供する。【解決手段】複数の端子９０はロケータ７０に圧入され、端子溝７３に収容されて保持され、複数の端子９０の保持された部位を覆うカバー８０がロケータ７０に取り付けられる。ロケータ７０の底面７０ｂには相手側コネクタと対向する端面７０ａからの嵌合方向に沿う距離に関し、最も遠い端子９０よりも端面７０ａに近い位置に脚部７９が突出形成されている。カバー８０はロケータ７０の端面７０ａ，反対端面７０ｆ及び底面７０ｂを開放しつつ両側面７０ｃ，７０ｄを覆う形状を有し、ロケータ７０に対して底面７０ｂとは反対側からスライド嵌合して取り付けられるものとされている。【選択図】図１０
2017191697.tif 000002
【特許請求の範囲】
【請求項１】
相手側コネクタとの嵌合方向が基板面と平行とされて基板上に半田付け実装されるアングルコネクタであって、
樹脂製のハウジングと、
金属製のシェルと、
前記嵌合方向に延伸する嵌合側延伸部と、前記嵌合方向と垂直な実装方向に延伸する基板側延伸部と、前記嵌合側延伸部と前記基板側延伸部とを接続する折り曲げ部とをそれぞれ有する複数の端子と、
前記複数の端子を保持する樹脂製のロケータと、
前記ロケータに取り付けられて前記複数の端子の前記ロケータに保持された部位を覆うカバーとを有してなり、
前記複数の端子の前記嵌合側延伸部には、それぞれ圧入孔が形成され、
前記ロケータの前記嵌合方向と前記実装方向とが張る平面に平行な両側面の少なくとも一方には、前記基板側延伸部がそれぞれ収容される複数の相互に平行な前記実装方向に延伸する溝と、前記圧入孔にそれぞれ圧入される複数の突起とが形成され、
前記複数の端子は、前記圧入孔に前記突起が圧入されると共に前記基板側延伸部が前記溝に収容されることで前記ロケータに保持されており、
前記ロケータの前記基板面と対向する底面には、前記ロケータの前記相手側コネクタと対向する端面からの前記嵌合方向に沿う距離に関し、前記複数の端子のうちの最も遠い端子よりも前記端面に近い位置に脚部が突出形成されており、
前記カバーは、前記ロケータの前記端面及びその前記嵌合方向に係る反対端面並びに前記底面を開放しつつ前記両側面を覆う形状を有し、前記底面とは反対側から前記実装方向にスライド嵌合して前記ロケータに取り付けられるものとされていることを特徴とするアングルコネクタ。
【請求項２】
請求項１記載のアングルコネクタにおいて、
前記ロケータと前記カバーとには、前記ロケータへの前記カバーの取付けが完了した時に相互に係合して前記カバーの広がり変形を防ぐロケータ側係止部とカバー側被係止部とがそれぞれ設けられていることを特徴とするアングルコネクタ。
【請求項３】
請求項１記載のアングルコネクタにおいて、
前記シェルには、前記カバーの、前記ロケータの前記両側面を覆う部位を外側から覆って前記カバーの広がり変形を防ぐカバー広がり防止部が設けられていることを特徴とするアングルコネクタ。
【請求項４】
請求項１乃至３記載の何れかのアングルコネクタにおいて、
前記カバーの、前記ロケータの前記溝と対向する面には前記実装方向に延伸する複数の相互に平行な凸条がそれぞれ前記溝と対向する位置に形成されていることを特徴とするアングルコネクタ。
【請求項５】
請求項４記載のアングルコネクタにおいて、
前記ロケータの、前記溝が形成されている前記側面の、前記底面とは反対側の上面の側に、前記溝の延長上に位置して前記上面に至る複数の相互に平行な案内溝が形成されていることを特徴とするアングルコネクタ。
【請求項６】
請求項１乃至５記載の何れかのアングルコネクタにおいて、
前記溝と前記突起とは前記ロケータの前記両側面に形成されており、前記複数の端子は前記ロケータの前記両側面において保持されていることを特徴とするアングルコネクタ。
【請求項７】
請求項１乃至６記載の何れかのアングルコネクタにおいて、
前記溝は前記ロケータの前記底面に至る部位において溝の深さが１つおきに相対的に浅くされ、前記複数の端子の前記基板側延伸部は、前記溝に対応して１本おきに前記嵌合方向と垂直な方向に相対的に大きく曲げられて該方向において２列とされていることを特徴とするアングルコネクタ。
【発明の詳細な説明】
【技術分野】
【０００１】
この発明は相手側コネクタとの嵌合方向が基板面と平行とされて基板上に半田付け実装されるアングルコネクタに関する。
【背景技術】
【０００２】
図１５及び１６はこの種のアングルコネクタの従来例として特許文献１に記載されている構成を示したものである。アングルコネクタ（特許文献１ではジャックと称している）１０はホルダ１１に複数のインサートモジュール１２を圧入することにより形成されている。ホルダ１１は例えばポリエステル樹脂を成形したものであり、ジャック部１３と係合部１４とから構成されている。ジャック部１３には貫通孔１５が形成されている。
【０００３】
インサートモジュール１２はこの例では５本の接続線１６とモールド部１７から構成されている。５本の接続線１６は例えばポリエステル樹脂をモールドして形成されたモールド部１７により一体化されている。
【０００４】
５本の接続線１６はモールド樹脂から両端が互いに直交する方向に延出されている。接続線１６の一端のコネクタ端子１６ａは先端が二又に分岐されており、ジャック部１３の貫通孔１５に圧入される。接続線１６の他端の基板端子１６ｂは回路基板（図示せず）に半田付けされる。
【０００５】
ホルダ１１には上記構成のインサートモジュール１２が複数個、矢印ａ方向に配列されて圧入されている。
【０００６】
ジャック部１３の貫通孔１５には相手側コネクタ（特許文献１ではプラグと称している）のピンが挿入され、コネクタ端子１６ａと係合する。ピンとコネクタ端子１６ａとが係合することにより、アングルコネクタ１０と相手側コネクタとが接続される。
【先行技術文献】
【特許文献】
【０００７】
【特許文献１】特許第４０４４３２７号公報
【発明の概要】
【発明が解決しようとする課題】
【０００８】
ところで、このように基板上に半田付け実装されるアングルコネクタでは、モールド樹脂として溶融半田に耐えるような高価な耐熱性樹脂は一般に価格面から使用せず、低価格化を図るために、上述した特許文献１に記載されているアングルコネクタ１０でも使用しているように耐熱温度の低い安価なポリエステル樹脂等をモールド樹脂として一般に使用するものとなっている。
【０００９】
従って、基板上に半田付け実装する際、耐熱温度の低い樹脂と半田が接することがないように、樹脂部品と基板とを離間する必要があり、このため樹脂部品の半田と接しない位置に脚を設けるといったことが一般に行われており、図１５，１６に示した従来のアングルコネクタ１０においてもインサートモジュール１２のモールド部１７の基板と対向する底面には脚部１７ａ，１７ｂが突出形成されている。
【００１０】
一方、この種のアングルコネクタではアングルコネクタを実装する基板の小型化、高実装密度化に伴い、基板上の占有面積を低減できる小型化が望まれている。この点、図１５，１６に示したアングルコネクタ１０のように脚部１７ａ，１７ｂを基板端子１６ｂの配列の配列方向外側に設ける構成では、その分奥行方向の寸法が大きくなってしまうため、脚部を端子配列領域内に設けることができれば、その分、奥行方向の寸法を小さくできる。
【００１１】
しかしながら、奥行方向の寸法の小寸法化の一方策として、端子の配列ピッチの狭小化も同時に考えた場合、端子を一体に成形する（モールドインする）インサート成形自体が困難になるという問題がある。
【００１２】
この発明の目的はこの問題に鑑み、簡易に製造することができ、小型化、低価格化が可能なアングルコネクタを提供することにある。
【課題を解決するための手段】
【００１３】
請求項１の発明によれば、相手側コネクタとの嵌合方向が基板面と平行とされて基板上に半田付け実装されるアングルコネクタは、樹脂製のハウジングと、金属製のシェルと、前記嵌合方向に延伸する嵌合側延伸部と、前記嵌合方向と垂直な実装方向に延伸する基板側延伸部と、嵌合側延伸部と基板側延伸部とを接続する折り曲げ部とをそれぞれ有する複数の端子と、複数の端子を保持する樹脂製のロケータと、ロケータに取り付けられて複数の端子のロケータに保持された部位を覆うカバーとを有してなり、複数の端子の嵌合側延伸部にはそれぞれ圧入孔が形成され、ロケータの前記嵌合方向と前記実装方向とが張る平面に平行な両側面の少なくとも一方には、基板側延伸部がそれぞれ収容される複数の相互に平行な前記実装方向に延伸する溝と、前記圧入孔にそれぞれ圧入される複数の突起とが形成され、複数の端子は、前記圧入孔に前記突起が圧入されると共に基板側延伸部が前記溝に収容されることでロケータに保持されており、ロケータの基板面と対向する底面にはロケータの相手側コネクタと対向する端面からの前記嵌合方向に沿う距離に関し、複数の端子のうちの最も遠い端子よりも前記端面に近い位置に脚部が突出形成されており、カバーはロケータの前記端面及びその前記嵌合方向に係る反対端面並びに前記底面を開放しつつ前記両側面を覆う形状を有し、前記底面とは反対側から前記実装方向にスライド嵌合してロケータに取り付けられるものとされる。
【００１４】
請求項２の発明では請求項１の発明において、ロケータとカバーとには、ロケータへのカバーの取付けが完了した時に相互に係合してカバーの広がり変形を防ぐロケータ側係止部とカバー側被係止部とがそれぞれ設けられているものとされる。
【００１５】
請求項３の発明では請求項１の発明において、シェルには、カバーの、ロケータの前記両側面を覆う部位を外側から覆ってカバーの広がり変形を防ぐカバー広がり防止部が設けられているものとされる。
【００１６】
請求項４の発明では請求項１乃至３の何れかの発明において、カバーの、ロケータの前記溝と対向する面には前記実装方向に延伸する複数の相互に平行な凸条がそれぞれ前記溝と対向する位置に形成されているものとされる。
【００１７】
請求項５の発明では請求項４の発明において、ロケータの、前記溝が形成されている前記側面の、前記底面とは反対側の上面の側に、前記溝の延長上に位置して前記上面に至る複数の相互に平行な案内溝が形成されているものとされる。
【００１８】
請求項６の発明では請求項１乃至５の何れかの発明において、前記溝と前記突起とはロケータの前記両側面に形成されており、複数の端子はロケータの前記両側面において保持されているものとされる。
【００１９】
請求項７の発明では請求項１乃至６の何れかの発明において、前記溝は前記ロケータの前記底面に至る部位において溝の深さが１つおきに相対的に浅くされ、複数の端子の基板側延伸部は前記溝に対応して１本おきに前記嵌合方向と垂直な方向に相対的に大きく曲げられて該方向において２列とされているものとされる。
【発明の効果】
【００２０】
この発明によれば、端子を保持する樹脂製のロケータに端子をインサート成形するのではなく、端子をロケータに圧入して取り付けるものとなっている。よって、低価格化を図るべく、耐熱温度の低い安価な樹脂でロケータを作製する場合に、樹脂と半田が接しないようにロケータを実装基板と離間させるための脚部を、アングルコネクタの相手側コネクタとの嵌合方向において最も遠い端子の位置よりも相手側コネクタとの嵌合部に近い位置に容易に形成することができ、かつ端子の配列ピッチの狭小化も図ることができ、これらの点でアングルコネクタの奥行方向の寸法を小寸法化することができる。
【００２１】
また、ロケータに圧入された端子を押さえるためのカバーは断面コ字状とされ、奥行方向両側に壁がないため、この点でもアングルコネクタの奥行方向の寸法の小寸法化を図ることができる。
【００２２】
従って、この発明によれば、小型、低価格なアングルコネクタを提供することができる。
【図面の簡単な説明】
【００２３】
【図１】Ａはこの発明によるアングルコネクタの一実施例が基板上に実装された状態を示す斜視図、Ｂはその底面図。
【図２】図１Ａに示したアングルコネクタを一部分解して示した斜視図。
【図３】Ａは図２におけるロケータの斜視図、Ｂは図２におけるロケータの斜視図、Ｃはその部分拡大断面斜視図。
【図４】図２に示したロケータアセンブリの組立方法を説明するための図（その１）。
【図５】図２に示したロケータアセンブリの組立方法を説明するための図（その２）。
【図６】図２に示したロケータアセンブリの組立方法を説明するための図（その３）。
【図７】図２に示したロケータアセンブリの組立方法を説明するための図（その４）。
【図８】Ａは図７におけるカバーの斜視図、Ｂはその部分断面斜視図。
【図９】Ａは図２に示したロケータアセンブリの組立方法を説明するための図（その５）、Ｂは図２に示したロケータアセンブリの組立方法を説明するための図（その６）。
【図１０】Ａはロケータアセンブリの斜視図、Ｂはその部分拡大断面斜視図、Ｃはその部分拡大断面斜視図。
【図１１】ロケータアセンブリとハウジングアセンブリの組立方法を説明するための図（その１）。
【図１２】ロケータアセンブリとハウジングアセンブリの組立方法を説明するための図（その２）。
【図１３】端子の嵌合側延伸部の固定状態を示す部分拡大断面斜視図。
【図１４】Ａはこの発明によるアングルコネクタの他の実施例を示す側面図、Ｂはその斜視図。
【図１５】Ａはアングルコネクタの従来例を示す正面図、Ｂはその側面図。
【図１６】図１５Ａに示したアングルコネクタの部分断面拡大図。
【発明を実施するための形態】
【００２４】
この発明の実施形態を図面を参照して実施例により説明する。
【００２５】
図１はこの発明によるアングルコネクタの一実施例を基板と共に示したものであり、アングルコネクタ１００は相手側コネクタ（図示せず）との嵌合方向が基板面２００ａと平行とされて基板２００上に半田付け実装されている。本実施例において、アングルコネクタ１００はハウジングアセンブリ２０とロケータアセンブリ３０とが組み合わされ、相互に固定された構成を有する。基板２００は図１では実際の形状の図示を省略し、一部のみを示している。なお、以下においてはアングルコネクタ１００の、相手側コネクタとの嵌合方向をＸ方向とし、Ｘ方向と垂直な基板２００への実装方向をＺ方向とする。また、これらＸ方向及びＺ方向の双方に垂直な方向をＹ方向とする。
【００２６】
図２は図１に示したアングルコネクタ１００を一部分解して示したものであり、ハウジングアセンブリ２０はハウジング４０とシェル５０と２つのロックプレート６０とよりなり、ロケータアセンブリ３０はロケータ７０とカバー８０と端子９０とよりなる。ロケータアセンブリ３０はこの例では２０本の端子９０を有するものとされ、これら端子９０は樹脂製のロケータ７０に圧入されて保持されている。
【００２７】
図３はロケータ７０の形状を示したものであり、図３ではロケータ７０を横にして示している。
【００２８】
ロケータ７０はブロック状をなし、そのＸ方向の一方の端面７０ａには突出部７１が突出形成されている。また、Ｚ方向の一端側（底面７０ｂ側）は厚さが大とされて基部７２が形成されている。ロケータ７０の両側面（Ｘ方向とＺ方向とが張る平面に平行な両側面）７０ｃ，７０ｄにはそれぞれ端子溝７３及び案内溝７４が形成されており、以下、一方の側面７０ｃについて端子溝７３及び案内溝７４の詳細を説明する。
【００２９】
端子溝７３はＺ方向に延伸して底面７０ｂに至る基板側溝７５（溝）と、基板側溝７５の内端からＸ方向に延伸して突出部７１の先端面７１ａに至る嵌合側溝７６とよりなり、全体としてＬ字状をなす。Ｌ字状をなす端子溝７３は１０本形成されており、１０本の端子溝７３の基板側溝７５は相互に平行とされ、１０本の端子溝７３の嵌合側溝７６も相互に平行とされている。１０本の端子溝７３は平面上においてＬ字の角部が順次重なるように隣接し、一直線上に位置するように側面７０ｃのほぼ全域を占めて形成されている。
【００３０】
これら端子溝７３の嵌合側溝７６の突出部７１に位置する箇所には段部７６ａがそれぞれ形成され、段部７６ａより先端側（先端面７１ａ側）は溝幅が大とされている。この溝幅が大とされた部分の底面には突起７６ｂがそれぞれ形成されている。
【００３１】
隣接する嵌合側溝７６間の仕切り壁７７は隣接する基板側溝７５間の仕切り壁７８より高さが低くされており、基部７２に位置する仕切り壁７８は基部７２の厚さに伴い、１段高くされている。基部７２に位置する基板側溝７５の底面は１つおきに浅くされており、図３Ａ中、７５ａは浅くされた底面を示し、７５ｂは底面７５ａに至る傾斜面を示す。
【００３２】
基部７２に位置する仕切り壁７８の一箇所には凹部７８ａが形成されており、また基部７２に位置する２箇所の仕切り壁７８にはカバー８０を係止するための突起状をなすロケータ側係止部７８ｂが底面７０ｂと反対側に突出して形成されている。
【００３３】
一方、ロケータ７０の底面７０ｂと反対側の上面７０ｅ側には案内溝７４が配列形成されている。案内溝７４は１０本の嵌合側溝７６の配列方向外側に位置し、１０本の基板側溝７５の各延長上に位置して上面７０ｅに至るように形成されている。
【００３４】
以上、ロケータ７０の側面７０ｃに形成されている端子溝７３，案内溝７４及び凹部７８ａ、ロケータ側係止部７８ｂの詳細について説明したが、これら端子溝７３，案内溝７４及び凹部７８ａ、ロケータ側係止部７８ｂは側面７０ｄにも側面７０ｃと同様に形成されている。
【００３５】
次に、上記のような形状を有するロケータ７０に端子９０が組み込まれ、カバー８０が被せられてなるロケータアセンブリ３０の組立を説明する。
【００３６】
端子９０は図４に示したように、Ｘ方向に延伸する嵌合側延伸部９１と、Ｚ方向に延伸する基板側延伸部９２と、嵌合側延伸部９１と基板側延伸部９２とを接続する折り曲げ部９３とよりなる。図４はこのようにＬ字状をなす端子９０がロケータ７０の一方の側面７０ｃへ組み込まれる状態を示したものであり、ロケータ７０の１０本の端子溝７３に組み込まれる１０本の端子９０はキャリア１１０により一体化されている。
【００３７】
各端子９０の嵌合側延伸部９１には段部９４が形成され、段部９４より先端側の幅広部分には圧入孔９５が形成され、さらに圧入孔９５より先端側にダボ９６が形成されている。嵌合側延伸部９１の先端は図４に示したように折り曲げられて１段低くされている。
【００３８】
一方、１０本の端子９０の基板側延伸部９２は１本おきに大きく曲げられており、これにより先端はＹ方向において２列になるようにされている。
【００３９】
図５はロケータ７０の一方の側面７０ｃに端子９０が取り付けられた状態を示したものであり、端子９０の基板側延伸部９２は基板側溝７５に収容され、嵌合側延伸部９１は嵌合側溝７６に収容される。嵌合側延伸部９１の圧入孔９５には図５Ｂに示したようにロケータ７０の突起７６ｂが圧入され、嵌合側延伸部９１の段部９４とロケータ７０の段部７６ａとは図５Ｂに示したように突き当たった状態となる。
【００４０】
端子９０の基板側延伸部９２の先端は図５Ａに示したようにロケータ７０の底面７０ｂより突出され、千鳥状に配列されてＹ方向に２列の配置となる。なお、ロケータ７０の基部７２においてＹ方向外側に位置する５本の基板側延伸部９２の側面は基部７２の側面とほぼ同一面上に位置される。
【００４１】
上記のようにロケータ７０の側面７０ｃに１０本の端子９０を取り付けた後、キャリア１１０は切断除去され、ロケータ７０の側面７０ｄにも同様にして１０本の端子９０を取り付け、キャリア１１０を切断除去する。図６はこのようにしてロケータ７０の両側面７０ｃ，７０ｄにそれぞれ端子９０が取り付けられた状態を示したものである。なお、基板面２００ａと対向するロケータ７０の底面７０ｂには脚部７９が突出形成されており、脚部７９は図６からわかるように、端子９０の嵌合側延伸部９１が突出しているロケータ７０の突出部７１が設けられている側である端面７０ａからのＸ方向の距離に関し、最も遠い端子９０の基板側延伸部９２よりも端面７０ａに近い位置に形成されている。
【００４２】
次に、計２０本の端子９０のロケータ７０に保持された部位を覆うようにカバー８０を図７に示したようにＺ方向にスライド嵌合してロケータ７０に取り付ける。
【００４３】
カバー８０は樹脂製とされ、図７及び図８に示したように、ロケータ７０の両側面７０ｃ，７０ｄを覆う２枚の壁板８１と、２枚の壁板８１をＺ方向の一方の側（基端側）で繋ぐ天板８２とよりなり、合わせて３枚の板よりなる形状とされている。この形状によりカバー８０は、ロケータ８０の端面７０ａ、Ｘ方向における端面７０ａと反対側の反対端面７０ｆ及び底面７０ｂを覆うことなく開放しながら２つの側面７０ｃ，７０ｄを覆うことができる。２枚の壁板８１の、天板８２と反対側部分の内面には段部８１ａが形成され、段部８１ａよりＺ方向先端側はロケータ７０の厚さが大とされた基部７２に対応して２枚の壁板８１の間隔が大とされている。
【００４４】
２枚の壁板８１の各内面にはＺ方向に延伸する１０本の凸条８３が相互に平行とされてそれぞれ形成されている。凸条８３は１本おきに長さが短かくされており、長さが短かい凸条８３は天板８２の内面から段部８１ａまで形成されている。１本おきの長さが長い凸条８３は天板８２の内面から壁板８１の先端に至るまで形成されている。これら凸条８３はロケータ７０の両側面７０ｃ，７０ｄに形成されている基板側溝７５及び案内溝７４と対向する位置に形成されている。
【００４５】
２枚の壁板８１の互いの間隔が大とされた部分の内面にはロケータ７０の凹部７８ａの位置に対応して図８Ａに示したように凸部８４が突出形成されており、さらに段部８１ａにはロケータ７０のロケータ側係止部７８ｂに引っ掛かるカバー側被係止部８５が図８Ａ，Ｂに示したように突出形成されている。なお、２枚の壁板８１のＸ方向一端側は互いの外面側に突出されて厚さが大とされており、この厚さが大とされた部分の壁板８１の外面には一対の凹部８６がそれぞれ形成されている。
【００４６】
図９は上記のような形状を有するカバー８０がロケータ７０に取り付けられる様子を示したものであり、カバー８０はロケータ７０に対してその底面７０ｂとは反対側から天板８２を後尾とし、Ｚ方向にスライド嵌合して取り付けられる。カバー８０はその凸条８３が図９Ａに示したようにロケータ７０の案内溝７４に挿入され、案内溝７４及び基板側溝７５に順次案内されて取り付けられる。
【００４７】
図１０はカバー８０がロケータ７０に取り付けられ、ロケータアセンブリ３０が完成した状態を示したものであり、２０本の端子９０の基板側延伸部９２はカバー８０の凸条８３によって押さえ込まれ、振れ及び基板側溝７５からの逸脱が阻止される。カバー８０の２枚の壁板８１の内面にそれぞれ形成されている凸部８４は図１０Ｂに示したようにロケータ７０の凹部７８ａに入り込み、これによりカバー８０は抜け止めされる。また、２枚の壁板８１の内面に形成されている計４つのカバー側被係止部８５は図１０Ｃに例示したようにロケータ側係止部７８ｂと係合する。これにより、端子９０の基板側延伸部９２を押さえ込む力の反力によって天板８２と反対側において２枚の壁板８１が広がる（２枚の壁板８１の間隔が大きくなる）のが防止される。
【００４８】
ロケータアセンブリ３０と組み合わされるハウジングアセンブリ２０は前述したようにハウジング４０とシェル５０と２つのロックプレート６０とよりなる。
【００４９】
ハウジング４０は図２に示したように直方体状の基部４１と基部４１から突出する舌片部４２とよりなる。基部４１にはロケータ７０の突出部７１が挿入される凹部４３（図１１参照）及び突出部７１より突出する２０本の端子９０の嵌合側延伸部９１が挿通される穴４４（図１１参照）が形成されており、穴４４の延長上に位置して舌片部４２には２０本の溝４５が形成されている。また、溝４５の延長上、舌片部４２の先端には嵌合側延伸部９１の先端が入り込む穴４６が２０個形成されている。
【００５０】
シェル５０は金属板よりなり、断面コ字状の基部５１と基部５１のコ字の中間部５１ａに突出形成された筒状部５２とを有する。筒状部５２の内部空間はＸ方向において開放されている。基部５１のコ字の両脚部５１ｂのＺ方向下端には端子５３がそれぞれ突出形成されており、また両脚部５１ｂのＸ方向後端にはそれぞれ一対の係止片５４が突出形成されている。
【００５１】
ロックプレート６０はシェル５０を挟み、シェル５０とハウジング４０とを共止めする機能と、アングルコネクタ１００と相手側コネクタとの嵌合時の抜け止めとして機能する。ロックプレート６０は金属板よりなり、Ｘ方向一端（後端）には一対のかしめ片６１を備えている。図２では一対のかしめ片６１はかしめられた状態として示している。
【００５２】
ハウジングアセンブリ２０はハウジング４０の基部４１にシェル５０のコ字状の基部５１を被せ、２つのロックプレート６０のかしめ片６１をシェル５０の基部５１に２箇所形成されている穴５５及びハウジング４０の基部４１に２箇所形成されている穴４７に順次差し込んでかしめることによって組み立てられる。ハウジング４０の舌片部４２はシェル５０の筒状部５２内に位置され、これにより相手側コネクタと嵌合する嵌合部２１（図１参照）が形成される。
【００５３】
図１１はこのようにして組み立てられたハウジングアセンブリ２０にロケータアセンブリ３０が組み込まれる様子を示したものである。なお、ハウジング４０の底面４０ａには図１１からわかるように脚部４８が突出形成されている。
【００５４】
図１２はシェル５０の計４つの係止片５４がカバー８０の凹部８６にそれぞれかしめ付けられてハウジングアセンブリ２０とロケータアセンブリ３０とが固定され、アングルコネクタ１００が完成した状態を示したものである。
【００５５】
図１３はこのようにして組み立てられたアングルコネクタ１００における端子９０の嵌合側延伸部９１がハウジング４０の舌片部４２に配置されている状態を示したものであり、嵌合側延伸部９１においてダボ９６が形成されている箇所がハウジング４０の穴４４に圧入されて嵌合側延伸部９１が舌片部４２の各溝４５に配置されている。なお、嵌合側延伸部９１の先端は舌片部４２の先端の穴４６に挿入されて位置されている。
【００５６】
上記のような構成を有するアングルコネクタ１００において、ロケータ７０、カバー８０及びハウジング４０を構成する樹脂には例えばＰＢＴ（ポリブチレンテレフタレート）等のポリエステル樹脂を用いる。また、シェル５０及びロックプレート６０は例えばＳＰＣＣ（冷間圧延鋼板）等を用いて形成する。
【００５７】
アングルコネクタ１００は図１に示したように基板２００上に実装されて使用される。図１中、２０１は基板２００に設けられているスルーホールを示し、計２０本の端子９０はそれぞれスルーホール２０１に挿入されて半田付けされる。端子９０はこの例ではＹ方向において４列に配置された構成となっている。なお、図１Ｂ中、破線はロケータ７０の脚部７９を示す。
【００５８】
図１４はこの発明によるアングルコネクタの他の実施例を示したものであり、この例ではアングルコネクタ１００’はハウジングアセンブリ２０’とロケータアセンブリ３０’とが相互に固定された時に、シェル５０’によってカバー８０’の２枚の壁板８１’の、天板８２と反対側での広がりを防止するものとなっている。
【００５９】
シェル５０’には断面コ字状をなす基部５１の両脚部５１ｂからそれぞれ突出延長してカバー広がり防止部５１ｃが設けられており、これらカバー広がり防止部５１ｃの延長先端にそれぞれ一対の係止片５４が設けられている。
【００６０】
一方、カバー８０’の２枚の壁板８１’はこの例では前述のアングルコネクタ１００における壁板８１より厚さが大とされ、これら壁板８１’のＸ方向後端に一対の凹部８６がそれぞれ形成されている。
【００６１】
シェル５０’のカバー広がり防止部５１ｃは図１４に示したように、カバー８０’の壁板８１’を覆う大きさとされており、カバー８０’の２枚の壁板８１’を外側から覆って係止片５４をカバー８０’の凹部８６にかしめ付けることによって、ハウジングアセンブリ２０’とロケータアセンブリ３０’とが固定されると共に、２枚の壁板８１’の広がりが防止されるものとなっている。
【００６２】
このように、この例ではシェル５０’によってカバー８０’の２枚の壁板８１’の広がり変形が防止されるものとなっており、よって前述のアングルコネクタ１００が具備していたロケータ側係止部７８ｂとカバー側被係止部８５は不要となる。
【００６３】
以上、この発明の実施例について説明したが、端子９０の数は２０本に限るものではない。また、上述した実施例ではロケータ７０の両側面７０ｃ，７０ｄにそれぞれ端子９０が圧入保持されるものとなっているが、一方の側面にのみ端子９０が圧入保持される構成としてもよい。
【符号の説明】
【００６４】
１０    アングルコネクタ                    １１    ホルダ
１２    インサートモジュール                １３    ジャック部
１４    係合部                              １５    貫通孔
１６    接続線                              １６ａ    コネクタ端子
１６ｂ    基板端子                          １７    モールド部
１７ａ，１７ｂ    脚部                      ２０，２０’    ハウジングアセンブリ
２１    嵌合部                              ３０，３０’    ロケータアセンブリ
４０    ハウジング                          ４０ａ    底面
４１    基部                                ４２    舌片部
４３    凹部                                ４４    穴
４５    溝                                  ４６，４７    穴
４８    脚部                                ５０，５０’    シェル
５１    基部                                ５１ａ    中間部
５１ｂ    脚部                              ５１ｃ    カバー広がり防止部
５２    筒状部                              ５３    端子
５４    係止片                              ５５    穴
６０    ロックプレート                      ６１    かしめ片
７０    ロケータ                            ７０ａ    端面
７０ｂ    底面                              ７０ｃ，７０ｄ    側面
７０ｅ    上面                              ７０ｆ    反対端面
７１    突出部                              ７１ａ    先端面    
７２    基部                                ７３    端子溝
７４    案内溝                              ７５    基板側溝（溝）
７５ａ    底面                              ７５ｂ    傾斜面
７６    嵌合側溝                            ７６ａ    段部
７６ｂ    突起                              ７７，７８    仕切り壁
７８ａ    凹部                              ７８ｂ    ロケータ側係止部
７９    脚部                                ８０，８０’    カバー
８１，８１’    壁板                        ８１ａ    段部
８２    天板                                ８３    凸条
８４    凸部                                ８５    カバー側被係止部
８６    凹部                                ９０    端子
９１    嵌合側延伸部                        ９２    基板側延伸部
９３    折り曲げ部                          ９４    段部
９５    圧入孔                              ９６    ダボ
１００，１００’    アングルコネクタ        １１０    キャリア
２００    基板                              ２００ａ    基板面
２０１    スルーホール
【図１】
2017191697.tif 000003
【図２】
2017191697.tif 000004
【図３】
2017191697.tif 000005
【図４】
2017191697.tif 000006
【図５】
2017191697.tif 000007
【図６】
2017191697.tif 000008
【図７】
2017191697.tif 000009
【図８】
2017191697.tif 000010
【図９】
2017191697.tif 000011
【図１０】
2017191697.tif 000012
【図１１】
2017191697.tif 000013
【図１２】
2017191697.tif 000014
【図１３】
2017191697.tif 000015
【図１４】
2017191697.tif 000016
【図１５】
2017191697.tif 000017
【図１６】
2017191697.tif 000018